(57)【要約】【課題】充電終了後に蓄電池の温度低下によって当該蓄電池の使用が困難になることを回避し得る、蓄電システムを提供する。【解決手段】蓄電池の充電を制御する蓄電システムであって、前記蓄電池の温度を測定する温度センサと、前記蓄電池に対する充電を行う充電部と、前記充電部が所定の充電電力で充電を開始し終了するよう制御する制御部とを備え、前記制御部は、前記温度センサの測定結果が所定温度を超える場合には、第１の充電電力で前記充電部による充電を行う一方で、前記温度センサの測定結果が所定温度以下である場合には、前記蓄電池に対する充電電力を前記第１の充電電力よりも低い第２の充電電力で前記充電部による充電を開始し、前記蓄電池の温度が、当該蓄電池が動作不能となる温度を下回らないように充電を終了させる。【選択図】図１
2020120504.tif 000002
【特許請求の範囲】
【請求項１】
蓄電池の充電を制御する蓄電システムであって、
前記蓄電池の温度を測定する温度センサと、
前記蓄電池に対する充電を行う充電部と、
前記充電部が所定の充電電力で充電を開始し終了するよう制御する制御部と
を備え、
前記制御部は、前記温度センサの測定結果が所定温度を超える場合には、第１の充電電力で前記充電部による充電を行う一方で、前記温度センサの測定結果が所定温度以下である場合には、前記蓄電池に対する充電電力を前記第１の充電電力よりも低い第２の充電電力で前記充電部による充電を開始し、前記蓄電池の温度が、当該蓄電池が動作不能となる温度を下回らないように充電を終了させることを特徴とする蓄電システム。
【請求項２】
前記蓄電池の電池残量を測定する電池残量測定手段を備え、
前記制御部は、
前前記温度センサの測定結果と、記電池残量測定手段の測定結果とに基づいて、前記第２の充電電力を決定する
ことを特徴とする請求項１に記載の蓄電システム。
【請求項３】
前記制御部は、
前記温度センサの測定結果が前記所定温度以下である場合には、充電開始時から予め設定された充電終了目標時刻まで充電を続行し前記充電終了目標時刻において満充電となる充電電力を前記第２の充電電力として設定する
ことを特徴とする請求項１または請求項２に記載の蓄電システム。
【発明の詳細な説明】
【技術分野】
【０００１】
本発明は、蓄電システムに関し、例えば、屋外に設置された蓄電池の充電を制御する蓄電システムに関する。
【背景技術】
【０００２】
従来、例えば太陽光などの再生可能エネルギーを利用して発電する発電設備と、蓄電池ユニットを有する蓄電システムを備えた電力システムが考えられている（特許文献１参照）。
【０００３】
このような電力システムでは、太陽光発電が可能な昼間の時間帯には太陽光発電設備を利用して太陽光発電を行い、当該太陽光発電により発生した電力により蓄電池ユニットを充電し、一方、太陽光発電を利用し得ない夜間には、深夜電力を利用して蓄電池ユニットを充電するようになっている。
【先行技術文献】
【特許文献】
【０００４】
【特許文献１】特開２０１８−６０９７号公報
【発明の概要】
【発明が解決しようとする課題】
【０００５】
ところで、かかる電力システムにおいては、蓄電池ユニットの電池温度が電池として動作し得ない程度（例えば、零度以下）に低下すると、放電を開始しようとしても放電が困難になるという問題があった。特に屋外に蓄電池ユニットが設置されるシステムにおいては、低温になることが想定されるため、電池の低温対策が必要となっていた。
【０００６】
このように、深夜の時間帯などにおいて環境の温度が低下することによって、電池の放電開始が困難な状態になると、蓄電池ユニットに蓄電された電力を使用することが困難になる問題があった。
【０００７】
本発明は、以上の点を考慮してなされたものであり、充電終了後に蓄電池の温度低下によって当該蓄電池の使用が困難になることを抑制し得る、蓄電システムを提供することを目的とするものである。
【課題を解決するための手段】
【０００８】
本発明の蓄電システムは、蓄電池の充電を制御する蓄電システムであって、前記蓄電池の温度を測定する温度センサと、前記蓄電池に対する充電を行う充電部と、前記充電部が所定の充電電力で充電を開始し終了するよう制御する制御部とを備え、前記制御部は、前記温度センサの測定結果が所定温度を超える場合には、第１の充電電力で前記充電部による充電を行う一方で、前記温度センサの測定結果が所定温度以下である場合には、前記蓄電池に対する充電電力を前記第１の充電電力よりも低い第２の充電電力で前記充電部による充電を開始し、前記蓄電池の温度が、当該蓄電池が動作不能となる温度を下回らないように充電を終了させることを特徴とする。
【０００９】
この構成によれば、温度センサの測定結果が所定温度以下となる低温時に充電電力を第２の充電電力に低下させて充電を開始し、蓄電池の温度が、当該蓄電池が動作不能となる温度を下回らないように充電を終了させる充電制御を行うことにより、充電終了後に蓄電池に充放電が行われない待機状態となって当該蓄電池が動作不能となる温度にまで低下することを防止することができる。
【００１０】
また本発明の蓄電システムは、上記構成において、前記蓄電池の電池残量を測定する電池残量測定手段を備え、前記制御部は、前記温度センサの測定結果と、前記電池残量測定手段の測定結果とに基づいて、前記第２の充電電力を決定することを特徴とする。
【００１１】
この構成によれば、電池残量と電池温度に基づく充電電力に低下させて充電を行うことにより、充電終了目標時刻に満充電となる充電制御を行うことができる。
【００１２】
また本発明の蓄電システムは、上記構成において、前記制御部は、前記温度センサの測定結果が前記所定温度以下である場合には、充電開始時から予め設定された充電終了目標時刻まで充電を続行し前記充電終了目標時刻において満充電となる充電電力を前記第２の充電電力として設定することを特徴とする。
【００１３】
この構成によれば、充電開始時から充電終了目標時刻まで充電を続行できることにより、充電終了目標時刻前に充電が終了して蓄電池の温度が低下することを抑制することができる。
【発明の効果】
【００１４】
本発明によると、充電終了後に蓄電池の温度低下によって当該蓄電池の使用が困難になることを回避し得る蓄電システムを提供することができる。
【図面の簡単な説明】
【００１５】
【図１】本発明の実施形態に係る充電制御装置の構成を示す接続図である。
【図２】本発明の実施形態に係る充電制御装置の制御部の構成を示すブロック図である。
【図３】本発明の実施形態に係る充電制御処理手順を示すフローチャートである。
【図４】本発明の実施形態に係る低温時モードの充電制御により蓄電池を充電した際の電池温度および充電量を示す特性曲線図である。
【図５】本発明の実施形態に係る通常モードの充電制御により蓄電池を充電した際の電池温度および充電量を示す特性曲線図である。
【図６】他の実施形態に係る低温時モードの充電制御により蓄電池を充電した際の電池温度および充電量を示す特性曲線図である。
【発明を実施するための形態】
【００１６】
以下、本発明の実施形態について、添付図面に基づき詳細に説明する。
図１に示すように、本実施形態に係る蓄電システム１０は、商用電力系統１３および自立出力系統１４を含む交流電路２０に繋がる双方向ＡＣ／ＤＣコンバータ３０と、双方向ＤＣ／ＤＣコンバータ４０と、蓄電池５０と、制御部７０とを備えている。
【００１７】
交流電路２０には、商用電力系統１３および自立出力系統１４と、双方向ＡＣ／ＤＣコンバータ３０との間にノイズフィルタ２１が設けられている。双方向ＡＣ／ＤＣコンバータ３０と商用電力系統１３との間にはスイッチ回路Ｓ１およびＳ２が設けられており、双方向ＡＣ／ＤＣコンバータ３０と商用電力系統１３との間が開閉可能となっている。また、双方向ＡＣ／ＤＣコンバータ３０と自立出力系統１４との間にはスイッチ回路Ｓ５およびＳ６が設けられており、双方向ＡＣ／ＤＣコンバータ３０と自立出力系統１４との間が開閉可能となっている。また商用電力系統１３と自立出力系統１４との間にはスイッチ回路Ｓ３およびＳ４が設けられており、互いの系統の間が開閉可能となっている。
【００１８】
双方向ＡＣ／ＤＣコンバータ３０は、交流側コンデンサＣ３１と、交流リアクトルＬ３１、Ｌ３２と、インバータ３３と、中間コンデンサＣ３２とを有する。インバータ３３は、スイッチング素子Ｑ３１〜Ｑ３４をブリッジ接続したものである。スイッチング素子Ｑ３１、Ｑ３２、Ｑ３３、Ｑ３４には、それぞれ、ダイオードＤ３１、Ｄ３２、Ｄ３３、Ｄ３４が逆方向に並列接続されている。ダイオードＤ３１〜Ｄ３４は寄生ダイオードであってもよい。これらのスイッチング素子Ｑ３１〜Ｑ３４は、制御部７０によってオン・オフ制御可能となっている。なお、スイッチング素子Ｑ３１〜Ｑ３４は、ＭＯＳＦＥＴ（ｍｅｔａｌ−ｏｘｉｄｅ−ｓｅｍｉｃｏｎｄｕｃｔｏｒ  ｆｉｅｌｄ−ｅｆｆｅｃｔ  ｔｒａｎｓｉｓｔｏｒ）の他、例えば、ＩＧＢＴ（Ｉｎｓｕｌａｔｅｄ  Ｇａｔｅ  Ｂｉｐｏｌａｒ  Ｔｒａｎｓｉｓｔｏｒ）などを用いることができる。制御部７０は、例えば、コンピュータを含み、記憶部（図示せず）に記憶された所定のプログラムを実行することによって、スイッチング素子Ｑ３１〜Ｑ３４を制御する。
【００１９】
交流側コンデンサＣ３１および交流リアクトルＬ３１、Ｌ３２は、インバータ３３でスイッチングした波形を平滑するＬＣフィルタである。
【００２０】
双方向ＤＣ／ＤＣコンバータ４０は、ハイサイドのスイッチング素子Ｑ４１およびローサイドのスイッチング素子Ｑ４２と、直流リアクトルＬ４１と、直流側コンデンサＣ４１とを有し、チョッパ回路を構成する。スイッチング素子Ｑ４１、Ｑ４２には、ぞれぞれ、ダイオードＤ４１、Ｄ４２が逆方向に並列接続されている。ダイオードＤ４１、Ｄ４２は寄生ダイオードであってもよい。
【００２１】
スイッチング素子Ｑ４１、Ｑ４２は、制御部７０によってオン・オフ制御可能となっている。なお、スイッチング素子Ｑ４１、Ｑ４２は、ＭＯＳＦＥＴの他、例えば、ＩＧＢＴなどを用いることができる。制御部７０は、記憶部に記憶された所定のプログラムを実行することによって、スイッチング素子Ｑ４１、Ｑ４２を制御する。
【００２２】
双方向ＤＣ／ＤＣコンバータ４０は、双方向に使用することができ、蓄電池５０の放電時は昇圧チョッパとなり、蓄電池５０の充電時は降圧チョッパとなる。また、インバータ３３は、直流から交流への変換を行うだけでなく交流から直流への変換を行う双方向性のＡＣ／ＤＣコンバータとして機能することが可能である。
【００２３】
ＤＣ／ＤＣコンバータ４０には、蓄電池５０の状態を計測するための電池状態センサ６０が設けられている。電池状態センサ６０は、蓄電池５０の近傍に設けられたサーミスタなどの温度センサを有し、当該温度センサによる測定値を蓄電池５０の温度測定値として出力する。また、電池状態センサ６０は、蓄電池５０の電圧および電流を測定する電圧センサおよび電流センサを有し、蓄電池５０の電圧測定値および電流測定値として出力する。さらに、電池状態センサ６０は、蓄電池５０の端子電圧から電池残量（充電量）を計測して出力する。なお、温度センサは、蓄電池５０の近傍に設けることに限らず、外気温等に基づいて間接的に蓄電池５０の温度を測定してもよい。
【００２４】
制御部７０は電池状態センサ６０にセンサＩ／Ｆ７４を介して信号線で接続されており、電池状態センサ６０から取得した温度測定値、電圧測定値、電流測定値および電池残量（充電量）に基づいて、スイッチング素子Ｑ４１、Ｑ４２をオン・オフ制御する。具体的には、制御部７０は、予め設定されている充電開始時刻になると、蓄電池５０への充電電力が、所定の充電電力指定値となるように、スイッチング素子Ｑ４１、Ｑ４２を制御する。そして、充電を開始した後、電池状態センサ６０から取得した電圧測定値に基づいて充電量を判断し、充電量が指定値または１００％（満充電）となったことを検出すると、充電を終了するように制御する。
【００２５】
図２は、制御部７０の構成を示すブロック図である。図２に示すように、制御部７０は、バスＢＵＳにＣＰＵ７１、ＲＯＭ７２、ＲＡＭ７３、センサＩ／Ｆ７４、コンバータＩ／Ｆ７５、ネットワークＩ／Ｆ７６、時計７７、操作入力部７８を有している。
【００２６】
ＲＡＭ７３は、後述する蓄電池５０の充電制御を行うために必要な情報を記憶している。具体的には、充電開始となる深夜電力時間帯の開始時刻、充電終了の目標時刻となる深夜電力時間帯の終了時刻、充電電力として通常モード用の充電電力（通常充電時の目標とする電圧値および電流値）、低温時モード用の充電電力（低温時に充電を行うための目標とする電圧値および電流値）などが記憶されている。なお、本実施形態において、充電開始時刻は深夜電力時間帯の開始時刻に設定されるが、これに限られず、例えば、操作入力部７８を介して、ユーザが手動で操作設定することもできる。また、ＲＯＭ７２は、後述する蓄電池５０の充電制御を行うための処理プログラムなどを記憶している。
【００２７】
図３は、制御部７０による充電制御処理手順を示すフローチャートである。図３に示すように、制御部７０は、時計７７から現在時刻を表す現在時刻情報を取得し（ステップＳ１０）、当該取得した現在時刻情報とＲＡＭ７３に記憶されている充電開始時刻情報に基づいて、現在時刻が充電を開始する時刻に達しているか否かを判断する（ステップＳ１１）。充電開始時刻情報は、深夜電力時間帯の開始時刻情報またはユーザによって任意に設定された時刻を表す情報である。
【００２８】
現在時刻が充電を開始すべき充電開始時刻に至っていない場合、制御部７０のＣＰＵ７１は、ステップＳ１１において否定結果を得ることにより、再度時刻情報を取得する（ステップＳ１０）。これに対して、現在時刻が充電を開始すべき充電開始時刻に至っている場合、制御部７０のＣＰＵ７１は、ステップＳ１１において肯定結果を得ることにより、ステップＳ１１からステップＳ１２に処理を移して、電池状態センサ６０から電池の温度測定値を取得し、さらに、続くステップＳ１３において、電池状態センサ６０から現在の電池残量の情報を取得する。
【００２９】
そして、ＣＰＵ７１は、ステップＳ１４に処理を移して、上述のステップＳ１２乃至ステップＳ１３において取得した情報に基づいて、充電モードを選択する。具体的には、蓄電池５０の現在（例えば、深夜電力料金適用開始時刻）の電池温度が予め決められている所定の基準温度（例えば５℃）を下回っている場合には、その後の充電時間内（深夜時間帯）に０℃を下回ることが予測されるため、通常の充電電力（第１の充電電力）での充電（通常モード）に比べて充電電力を低く抑えた低温時モードの充電電力（第２の充電電力）を選択する。この低温時モードが選択されると、ＣＰＵ７１は、ステップＳ１５からステップＳ１６に処理を移して、現在の蓄電池５０の電池残量に基づいて、充電終了時刻（例えば、深夜電力料金適用終了時刻）までの時間全部を使用して満充電となるような充電電力を選択する。すなわち、通常の充電電力よりも低く抑えた充電電力であって、かつ、充電終了目標時刻に満充電となるような充電電力を選択する。この選択肢は、充電開始時の現在温度、現在電池残量、充電時間といったパラメータに対応した充電電力として、予めＲＡＭ７３に記憶されている。因みに、これらのパラメータに対応した充電電力は、蓄電池５０の仕様別、環境（温度）別に試験的に充電を行った結果に基づいて設定されている。例えば、ある電池温度および電池残量の場合にどのくらいの充電電力で充電を行った場合には、充電時間がどれくらいになるかといった試行を条件別に行うことにより得られた結果をＲＡＭ７３に記憶して用いる。
【００３０】
このような充電電力の選択により、例えば、通常モードでの充電電力で充電する場合には、１０Ａ（アンペア）の充電電流を維持する充電を行うのに対して、低温時モードでは５Ａ（アンペア）に抑えた充電電流を維持する充電を行うといった選択がなされる。このように充電電力を低く抑えた充電電力を選択することにより、通常モードで充電する場合に比べて、満充電になるまでに要する充電時間を長くすることができる。すなわち、充電終了目標時刻よりも前に満充電となって充電が終了してしまうことを回避し、充電終了目標時刻に満充電となって充電が終了するように制御することができる。
【００３１】
一方、現在の電池温度が上記した基準温度以上である場合には、ＣＰＵ７１は、ステップＳ１５からステップＳ１７に処理を移して、通常モードでの充電電力を選択する。これにより、低温時モードで選択される充電電力よりも大きな通常の充電電力が選択されることにより、充電終了目標時刻よりも前に充電を終了することが許容される。
【００３２】
このような充電制御処理を実行することにより、低温時において充電終了目標時刻よりも前に充電が終了して蓄電池が待機状態（充電も放電もされていない状態）になることを回避することができる。すなわち、充電終了目標時刻は、放電開始時刻と一致する時刻に設定されており、充電終了目標時刻に充電が終了するように充電制御すれば、充電終了後、直ちに放電が開始されることになる。これにより、充放電時に蓄電池５０が発熱することで当該蓄電池５０が動作不能温度（例えば０℃以下）になることを防止することができ、蓄電池５０が低温により使用不可能状態（充電も放電も困難になる状態）に陥ることを予防することができる。
【００３３】
図４は、本実施形態における低温時モードの充電制御により蓄電池５０を充電した際の蓄電池５０の電池温度および充電量を示す特性曲線図であり、図５は、比較例として、通常モードの充電制御により蓄電池５０を充電した際の蓄電池５０の電池温度および充電量を示す特性曲線図である。図４に示すように、充電開始時刻ｔ０において低温時モード用に選択された充電電力により蓄電池５０の充電を開始すると、蓄電池５０の充電量は充電量曲線Ｌ１１で示すように上昇して行く。この上昇の度合いは、通常モードの充電電力（低温時モードの充電電力よりも大きい充電電力）で充電した場合（図５の充電量曲線Ｌ１）に比べて、緩やかになっている。
【００３４】
これにより、充電終了目標時刻ｔ３（深夜電力時間帯の終了時刻）まで充電が終了することなく続行され、当該充電終了目標時刻ｔ３において満充電（充電量１００％）となって充電を終了するように制御することができる。このように、充電終了目標時刻ｔ３まで充電が続行されることにより、蓄電池５０の温度は、温度曲線Ｌ１２（図４）で示されるように、充電開始時刻ｔ０から緩やかに上昇した後、充電終了目標時刻ｔ３まで、ほぼ一定の温度を維持することになる。そして、充電終了目標時刻ｔ３は、放電開始時刻と一致する時刻に設定されていることにより、充電終了後、直ちに放電が開始されることになる。この場合、蓄電池５０の温度は、充電時および放電時の発熱により、上昇した状態を維持し、当該蓄電池５０が動作し得なくなる０℃にまで低下することがなくなる。
【００３５】
これに対して、通常モードで充電した場合（図５）、充電電力が低温時モードよりも大きいことにより、蓄電池５０の温度は、図５において温度曲線Ｌ２で示されるように、低温時モードに比べて急激に上昇する。そして、通常モードでの充電量曲線Ｌ１で示されるように、充電終了目標時刻ｔ３よりも前の時刻ｔ１において満充電となることにより、蓄電池５０は、当該時刻ｔ１から充電終了目標時刻ｔ３（すなわち、放電開始時刻）までの間、充電も放電もされない待機状態となる。これにより、当該蓄電池５０の温度は、待機状態に切り替わった時刻ｔ１以降下降に転じ、例えば時刻ｔ２において０℃を下回ることになる。すなわち、放電が開始される時刻ｔ３において、蓄電池５０の温度は０℃以下に下がってしまい、放電に移行することが困難になるおそれが生じる。
【００３６】
本実施形態においては、蓄電池５０の充電制御として、低温時モードを選択し得ることにより、図４に示したように、充電終了目標時刻ｔ３の前に充電が終了して待機状態となることを回避することができ、これにより、放電開始時刻（充電終了目標時刻ｔ３）において蓄電池５０の電池温度が動作不可能となる０℃以下にまで低下することを防止することができる。
【００３７】
なお、上述の実施形態においては、充電開始時に充電モード（通常モードまたは低温時モード）を選択すると、当該選択された充電モードで充電終了目標時刻ｔ３まで充電を続行する場合について述べたが、これに限られるものではなく、充電途中で充電モードの見直しを行うようにしてもよい。
【００３８】
具体的には、図６に示すように、制御部７０（図１）において、電池状態センサ６０から取得した蓄電池５０の充電量（電池残量）が７０％まで充電された状態を監視し、その時点（図６の時点ｔｘ）において充電電力の見直しを行う。この場合、制御部７０のＣＰＵ７１は、時計７７から現在時刻ｔｘを取得し、現在時刻ｔｘと充電終了目標時刻ｔ３とに基づいて、残り時間を求める。そして、現在の充電量７０％から充電を開始して、残り時間の経過時（充電終了目標時刻ｔ３）に満充電となるような充電電力を再設定する。この充電電力は、現在温度、現在電池残量、充電時間といったパラメータに対応した充電電力として、予めＲＡＭ７３に記憶されている選択肢から選択することができる。
【００３９】
このような充電電力の再設定を行うことにより、例えば、充電開始時ｔ０において設定した充電電力では充電終了目標時刻ｔ３において満充電に満たない予測がされた場合には、それまでの充電電力よりも大きな充電電力により充電電力が再設定されることにより、充電終了目標時刻ｔ３において満充電となるように充電制御を行うことができる。これにより、例えば、蓄電池５０の設置環境の気温が、低温時モードとして想定されている気温と異なるなど、想定された充電条件と実際の充電条件が異なって満充電となる目標時刻に差異が生じる可能性がある場合、充電電力の再設定を行うことにより、充電終了目標時刻ｔ３まで充電状態を維持することができる。これにより、予測時刻よりも前に充電が終了することにより、蓄電池５０が待機状態に移行してその温度が使用不可能な温度（例えば、０℃を下回る温度）にまで低下することを防止することができる。
【００４０】
また、図６に示した場合とは逆に、充電量が７０％まで充電された時点が予定よりも早い時刻となっている場合には、その後の充電電力をそれまでの充電電力よりも低い値に再設定することにより、充電終了目標時刻よりも前に充電が終了してしまうことを、温度環境などの実際の状況に応じて適切に回避することができる。
【００４１】
また、上述の実施形態においては、蓄電池５０の現在の温度と電池残量に基づいて充電モード（通常モードまたは低温時モードのいずれか）を選択する場合について述べたが、これに限られるものではなく、例えば、ネットワークＩ／Ｆ７６（図２）を介して外部から気温の予測情報を取得し、当該取得した気温の予測情報に基づいて、充電モードを選択するようにしてもよい。具体的には、気温の予測情報として充電開始時刻から充電終了目標時刻までの間に気温が０℃を下回ると予測される場合、低温時モードを選択することにより、蓄電池５０の設置環境の気温予測に応じた充電電力の設定を行うことができる。特に、蓄電池５０が屋外に設置される場合には、外気温の予測結果を充電モードの選択時において考慮することにより、蓄電池５０の温度が外気温に左右され易い環境（屋外など）において、一段と有効に充電制御を行うことができる。
【００４２】
また、上述の実施形態においては、予め決められた時刻に充電を開始する場合について述べたが、これに限られるものではなく、例えば、充電開始前から電池状態センサ６０により蓄電池５０の電池温度を監視し、蓄電池５０の電池温度が低温（例えば、０℃または０℃を僅かに上回る温度など）になった場合には、予め決められている充電開始時刻前（図４において時刻ｔ０より前の時刻）であっても、充電を開始するようにしてもよい。このようにすれば、充電開始時に既に蓄電池５０が動作（充放電）し得ない程度の低温（例えば０℃）に温度低下しているような場合であっても、蓄電池５０を確実に充電することができる。この場合、充電開始時の充電制御処理は、図３について上述した処理手順により充電電力を選択して行うことができる。
【００４３】
また、上述の実施形態においては、充電開始時に低温時モードを選択する基準となる電池温度を５℃以下とした場合について述べたが、基準温度はこれに限られず、要は充電開始後の深夜電力時間帯において待機状態となった蓄電池５０の温度が当該蓄電池５０の充放電動作が困難となる温度（例えば０℃）以下となることが予測される温度（０℃よりも僅かに高い温度）を充電開始時のモード選択の基準温度として用いればよい。
【符号の説明】
【００４４】
１０  蓄電システム
１３  商用電力系統
１４  自立出力系統
２０  交流電路
３０  ＡＣ／ＤＣコンバータ
４０  ＤＣ／ＤＣコンバータ
５０  蓄電池
６０  電池状態センサ
７０  制御部
【図１】
2020120504.tif 000003
【図２】
2020120504.tif 000004
【図３】
2020120504.tif 000005
【図４】
2020120504.tif 000006
【図５】
2020120504.tif 000007
【図６】
2020120504.tif 000008